(57)【要約】【課題】マルチメディア機能の実行中に通話機能を実行する装置及びその方法を提供する。【解決手段】スピーカー部、マイク部、キー入力部及び表示部を具備して通話機能及びマルチメディア機能を実行する装置であって、前記装置の制御権限を所有して前記装置の通話機能を制御する第１の制御部と、マルチメディア機能を実行する際に前記第１の制御部から前記装置の制御権限の伝達を受けて前記装置のマルチメディア機能を制御する第２の制御部と、を含み、マルチメディア機能の実行中に通話機能が要請されて、マルチメディア機能と通話機能を同時に実行する同時サービスモードで動作する際に、前記第２の制御部は、前記装置の音制御権限を前記第１の制御部に伝達し、前記第１の制御部は、前記音制御権限の伝達を受けて前記マイク部及び前記スピーカー部が通話音の入出力のために使用されるように制御することを特徴とする。【選択図】図３
2006014333.tif 000002
【特許請求の範囲】
【請求項１】
スピーカー部、マイク部、キー入力部及び表示部を具備して通話機能及びマルチメディア機能を実行する装置であって、
前記装置の制御権限を所有して前記装置の通話機能を制御する第１の制御部と、マルチメディア機能を実行する際に前記第１の制御部から前記装置の制御権限の伝達を受けて前記装置のマルチメディア機能を制御する第２の制御部と、を含み、
マルチメディア機能の実行中に通話機能が要請されて、マルチメディア機能と通話機能を同時に実行する同時サービスモードで動作する際に、
前記第２の制御部は、前記装置の音制御権限を前記第１の制御部に伝達し、
前記第１の制御部は、前記音制御権限の伝達を受けて前記マイク部及び前記スピーカー部が通話音の入出力のために使用されるように制御することを特徴とする装置。
【請求項２】
前記第１の制御部は、通話を終了する際に音制御権限を前記第２の制御部に還元して前記第２の制御部がマルチメディアオーディオデータの制御を再開するようにすることを特徴とする請求項１に記載の装置。
【請求項３】
前記第１及び第２の制御部は、前記キー入力部に含まれているキーの中の予め設定された第１の特定キーの入力によりマルチメディア機能を実行している最中に通話機能が要請されたことを認識することを特徴とする請求項１に記載の装置。 
【請求項４】
前記第１の特定キーは、通話キーであることを特徴とする請求項３に記載の装置。 
【請求項５】
前記第１及び第２の制御部は、前記キー入力部に含まれているキーの中の予め設定された第２の特定キーの入力によりマルチメディア機能と通話機能を同時に実行している最中にマルチメディア機能または通話機能のうちのいずれか一つの機能が終了されたことを認識することを特徴とする請求項１に記載の装置。
【請求項６】
前記第２の特定キーは、‘終了キー’であることを特徴とする請求項５に記載の装置。 
【請求項７】
前記第２の制御部は、前記同時サービスモードの実行中に通話関連表示内容とマルチメディアビデオデータを前記表示部に一緒に出力することを特徴とする請求項１に記載の装置。
【請求項８】
前記第２の制御部は、前記通話関連表示内容を前記表示部の一部にオンスクリーンディスプレー方式により表示することを特徴とする請求項７に記載の装置。
【請求項９】
前記第１及び第２の制御部は、一つ以上のチップで具現されることを特徴とする請求項１に記載の装置。
【請求項１０】
前記装置は、カメラが具備された移動通信端末機であることを特徴とする請求項１乃至９のいずれか１項に記載の装置。 
【請求項１１】
前記装置は、画像通話が可能な移動通信端末機であることを特徴とする請求項１乃至９のいずれか１項に記載の装置。
【請求項１２】
前記装置は、マルチメディアデータ処理が可能な移動通信端末機であることを特徴とする請求項１乃至９のいずれか１項に記載の装置。
【請求項１３】
前記装置は、デジタル放送受信が可能な移動通信端末機であることを特徴とする請求項１乃至９のいずれか１項に記載の装置。
【請求項１４】
前記マルチメディア機能は、ディジタルマルチメディア放送を受信して表示する機能であることを特徴とする請求項１に記載の装置。
【請求項１５】
同時サービスモードでは、マルチメディア機能の実行中はマルチメディア機能の動作を中断することなくマルチメディア画面のみをユーザーのキー入力に応じて表示部に表示するか、表示しないようにすることを特徴とする請求項１に記載の装置。
【請求項１６】
装置の制御権限を所有して前記装置の通話機能を制御する第１の制御部と、マルチメディア機能を実行する際に、前記第１の制御部から前記装置の制御権限の伝達を受けて前記装置のマルチメディア機能を制御する第２の制御部と、を含む前記装置のマルチメディア機能の実行中に通話機能を実行する方法であって、
前記装置のマルチメディア機能の実行中に通話機能が要請されると、前記第２の制御部が前記装置の音制御権限のみを前記第１の制御部に伝達する第１の伝達過程と、
前記装置のマルチメディア機能と通話機能の同時実行のために前記第１の制御部が前記音制御権限を利用して通話音の送/受信を制御する過程と、
前記通話機能を終了する際に、前記第１の制御部が前記音制御権限を前記第２の制御部に伝達する第２の伝達過程と、
前記第２の制御部が前記音制御権限を再獲得する過程と、
を含むことを特徴とする方法。
【請求項１７】
前記装置がマルチメディア機能と通話機能を同時に実行する際に、前記通話関連表示内容とマルチメディアビデオデータを一つの表示部に一緒に表示するディスプレー過程をさらに含むことを特徴とする請求項１６に記載の方法。
【請求項１８】
前記ディスプレー過程は、前記マルチメディアビデオデータを表示する表示部の一部に前記通話関連表示内容をオンスクリーンディスプレー方式により表示することを特徴とする請求項１７に記載の方法。
【請求項１９】
前記第１の伝達過程は、前記装置のキー入力部に含まれているキーの中の予め設定された第１の特定キーの入力によりマルチメディア機能を実行している最中に通話機能が要請されたことを認識することを特徴とする請求項１６に記載の方法。
【請求項２０】
前記第１の特定キーは、通話キーであることを特徴とする請求項１９に記載の方法。
【請求項２１】
前記第２の伝達過程は、前記装置のキー入力部に含まれているキーの中の予め設定された第２の特定キーの入力によりマルチメディア機能と通話機能を同時に実行している最中にマルチメディア機能または通話機能のうちのいずれか一つの機能が終了されたことを認識することを特徴とする請求項１６に記載の方法。
【請求項２２】
前記第２の特定キーは、終了キーであることを特徴とする請求項２１に記載の方法。
【請求項２３】
前記マルチメディア機能は、ディジタルマルチメディア放送を受信して表示する機能であることを特徴とする請求項１６に記載の方法。
【請求項２４】
同時サービスモードでは、マルチメディア機能の実行中はマルチメディア機能の動作を中断することなくマルチメディア画面のみをユーザーのキー入力に応じて表示部に表示するか、表示しないようにすることを特徴とする請求項１６に記載の方法。
【発明の詳細な説明】
【技術分野】
【０００１】
本発明は、マルチメディア機能及び通話機能を全て実行する装置に関し、特に、マルチメディア機能の実行中に通話機能を実行する装置及びその方法に関する。
【背景技術】
【０００２】
最近、通信技術の発達によってマルチメディア機能(例えば、カメラ機能、ビデオ(Ｖｉｄｅｏ)機能及びデジタル放送サービス機能など)を搭載した移動通信端末機または移動通信機能を搭載したマルチメディア装置、例えば、カメラフォン、ＶＯＤ(Ｖｉｄｅｏ  Ｏｎ  Ｄｅｍａｎｄ)及びＤＭＢ(Ｄｉｇｉｔａｌ Ｍｕｌｔｉｍｅｄｉａ Ｂｒｏａｄｃａｓｔｉｎｇ)フォンなどが開発されている。特に、ＤＭＢフォンは、移動通信端末機を通じてデジタル放送を受信することができるように考案された装置として、移動中にもデジタル放送を視聴することができるという点で関心が次第に高まっている。
【０００３】
しかしながら、マルチメディア機能及び通話機能を全部実行する装置はマルチメディア機能と通話機能を同時に実行することができない。例えば、マルチメディア機能を使用している最中に音声通話するためには必ずマルチメディア機能を停止させなければならないし、通話が終了した後に以前のマルチメディアモードへの自動転換は不可能であった。
【０００４】
図１は、従来の実施形態による通話及びマルチメディア機能を実行する装置において、マルチメディア機能を実行するための制御権の移動過程を示すフローチャートである。特に、通話機能を制御する通話機能制御部３１及びマルチメディア機能を制御するマルチメディア機能制御部３３を具備する移動通信端末機において、マルチメディア機能を実行する際に該端末機の制御権限(例えば、音声入/出力制御、マルチメディアデータの入力/出力制御など)が移動する過程を例示した図である。
【０００５】
通常、移動通信端末機は普段に該当端末機の制御権限を通話機能制御部３１が持っている。したがって、マルチメディア機能が要請された場合(ステップ１１)、 通話機能制御部３１は端末機の制御権限をマルチメディア機能制御部３３に伝達する(ステップ１３)。この場合、通話機能制御部３１は端末機の動作制御のための何の機能も実行せず、ただ、ユーザーインターフェースを通じて入力される操作信号に応じたイベントを発生させてマルチメディア機能制御部３３に伝達する機能のみを実行する。
【０００６】
したがって、ステップ１３の実行後に、通話機能制御部３１は操作信号の入力を感知し(ステップ１５)、それに対応したイベントを発生させて(ステップ１７)マルチメディア機能制御部３３に伝達する(ステップ１９)。
【０００７】
一方、マルチメディア機能制御部３３は、ステップ１３で伝達された端末機制御権限を利用してマルチメディア機能を実行する中(ステップ２１)、ステップ１９を通じてマルチメディア機能を終了するためのイベントが伝達されると(ステップ２３)、マルチメディア機能を終了した後(ステップ２５)、端末機制御権限を通話機能制御部３１に伝達する(ステップ２７)。もし、ステップ１９を通じて伝達されたイベントがマルチメディア機能を終了するためのイベントではない場合にはマルチメディア機能を持続的に実行する(ステップ２１)。
【０００８】
このように、従来は端末機の動作モードによって通話機能制御部３１またはマルチメディア機能制御部３３が該当端末機の制御権限を持って端末機を制御した。即ち、通話機能制御部３１及びマルチメディア機能制御部３３が端末機の制御権限を同時に所有する場合はなかった。したがって、従来は通話及びマルチメディア機能を実行する装置がマルチメディア機能を実行している最中に通話が要請された場合、その二つの機能を同時に実行することができなかった。
【０００９】
例えば、端末機がマルチメディア機能を実行している最中に通話要請信号を受けてユーザーが通話モードを選択した場合、通話機能制御部３１は、ステップ１７でこれを通知するためのイベントを発生する。即ち、通話機能制御部３１は端末機の動作モードを通話モードに転換すると通知するためのイベントを発生させる(ステップ１７)。そして、そのイベントをマルチメディア機能制御部３３に伝達する(ステップ１９)。それでは、マルチメディア機能制御部３３はこれに応答してマルチメディア機能を終了した後(ステップ２５)、端末機の制御権限を通話機能制御部３１に伝達する(ステップ２７)。
【００１０】
図２は、従来の実施形態による通話及びマルチメディア機能を実行する装置においてマルチメディア機能の実行中に通話機能を実行する過程を示すフローチャートである。即ち、図１に示されたように、制御権限が移動する装置においてマルチメディア機能の実行中に通話機能を実行する過程を例示した図である。
【００１１】
図２に示すように、通話及びマルチメディア機能を実行する装置(例えば、‘マルチメディア機能が搭載された移動通信端末’または‘通信機能が搭載されたマルチメディア端末’、以下、‘複合端末’と称する)がマルチメディアモードで動作している最中に(ステップ３１)、通話機能が要請されると(ステップ３３)、複合端末は動作中であったマルチメディアモードを終了した後(ステップ３５)、通話モードにモード転換して通話機能を実行する(ステップ３７)。通話モードは、通話機能が終了されるまで維持される(ステップ３９)。
【００１２】
例えば、ユーザーが複合端末を通じてデジタル放送サービスを利用する中(即ち、デジタル放送視聴中)、通話要請が受信された場合、従来にはユーザーがその通話要請に応答して電話通話するためにデジタル放送視聴を中断しなければならなかった。また、通話が終了した後に中断されたデジタル放送視聴を自動で持続することが不可能であった。
【００１３】
したがって、従来は複合端末のユーザーがマルチメディア機能及び通話機能を便利に利用することができなかった。
【発明の開示】
【発明が解決しようとする課題】
【００１４】
本発明は、上述したような従来技術の問題点を解決するためになされたもので、その目的は、複合端末がマルチメディア機能を実行しながら通話機能(例えば、音声通話及び文字通信など)を同時に実行することができる装置及び方法を提供することにある。
【００１５】
本発明の他の目的は、複合端末を利用したマルチメディア機能(例えば、カメラ、ビデオ及びデジタル放送など)の品質を向上させるための装置及び方法を提供することにある。
【００１６】
本発明のまた他の目的は、複合端末を利用したデジタル放送サービスの利用者がデジタル放送視聴及び通話機能を便利に利用できるようにするための装置及び方法を提供することにある。
【課題を解決するための手段】
【００１７】
上記課題を解決するための本発明による装置は、スピーカー部、マイク部、キー入力部及び表示部を具備して通話機能及びマルチメディア機能を実行する装置であって、前記装置の制御権限を所有して前記装置の通話機能を制御する第１の制御部と、マルチメディア機能を実行する際に前記第１の制御部から前記装置の制御権限の伝達を受けて前記装置のマルチメディア機能を制御する第２の制御部と、を含み、マルチメディア機能の実行中に通話機能が要請されて、マルチメディア機能と通話機能を同時に実行する同時サービスモードで動作する際に、前記第２の制御部は、前記装置の音制御権限を前記第１の制御部に伝達し、前記第１の制御部は、前記音制御権限の伝達を受けて前記マイク部及び前記スピーカー部が通話音の入出力のために使用されるように制御することを特徴とする。
【００１８】
また、本発明による方法は、装置の制御権限を所有して前記装置の通話機能を制御する第１の制御部と、マルチメディア機能を実行する際に、前記第１の制御部から前記装置の制御権限の伝達を受けて前記装置のマルチメディア機能を制御する第２の制御部と、を含む前記装置のマルチメディア機能の実行中に通話機能を実行する方法であって、前記装置のマルチメディア機能を実行している最中に通話機能が要請されると、前記第２の制御部が前記装置の音制御権限のみを前記第１の制御部に伝達する第１の伝達過程と、前記装置のマルチメディア機能と通話機能の同時実行のために前記第１の制御部が前記音制御権限を利用して通話音の送/受信を制御する過程と、前記通話機能を終了する際に、前記第１の制御部が前記音制御権限を前記第２の制御部に伝達する第２の伝達過程と、前記第２の制御部が前記音制御権限を再獲得する過程と、を含むことを特徴とする。
【発明の効果】
【００１９】
本発明によれば、ユーザーが複合端末(例えば、通話機能とマルチメディア機能を一緒に持つ端末)のマルチメディア機能を使用しながら通話を試みる場合、マルチメディア機能を停止させないで通話機能を実行することにより、複合端末使用の利便性を向上させることができる。例えば、マルチメディア機能を実行するうちに緊急な電話が受信された場合、このためにマルチメディア機能を終了する必要がないのでユーザーが便利にマルチメディア機能及び通話機能を実行することができる。
【００２０】
また、同時サービスモードでは、マルチメディア機能の実行中はマルチメディア機能の動作を中断することなくマルチメディア画面のみをユーザーのキー入力に応じて表示部に表示されるようにするか、表示されないようにすることができる。
【００２１】
特に、マルチメディアモードと通話モードとの間の動作モード転換のために予め設定された一つのキー(例えば、‘通話キー’または‘終了キー’)を利用することにより、便利にモード転換が実行できる長所がある。
【００２２】
また、一つのディスプレー部を利用してマルチメディア機能に必要な映像データと通話機能を実行するための文字データを表示し、文字データが映像データを邪魔しないように特定領域を設定することにより、利便性を向上させることができる。
【発明を実施するための最良の形態】
【００２３】
以下、本発明の好適な一実施形態について添付図面を参照しつつ詳細に説明する。下記の説明において、本発明の要旨のみを明確にする目的で、関連した公知機能又は構成に関する具体的な説明は省略する。
【００２４】
図３は、本発明の一実施形態による通話及びマルチメディア機能を実行する装置において、マルチメディア機能の実行中に通話機能を実行する移動通信端末を示すブロック図である。図３に示すように、本発明の実施形態による移動通信端末１００は、携帯電話機能を制御する携帯電話機能モジュール(例えば、フォンモジュール)１１０と、マルチメディア機能(例えば、カメラ機能、ビデオ機能及び放送受信機能など)を制御するマルチメディアモジュール１２０と、を含む。
【００２５】
フォンモジュール１１０は、携帯電話機能を含んだ移動通信端末の全般的な機能を制御する主制御部１１１(図３ではＭＳＭ(Ｍｏｂｉｌｅ  Ｓｔａｔｉｏｎ  Ｍｏｄｅｍ)チップで具現される、以下、‘ＭＳＭ'と称する)と、携帯電話機能を含んだ移動通信端末の全般的な機能と関連された情報を表示する第１の表示部(ＬＣＤ:Ｌｉｑｕｉｄ  Ｃｒｙｓｔａｌ  Ｄｉｓｐｌａｙ)１１２と、オーディオ(Ａｕｄｉｏ)信号を入力するマイク(Ｍｉｃ.)１１３と、ＭＳＭ１１１に制御命令を入力するキーパッド１１４と、携帯電話機能の実行と関連されたオーディオ信号を出力する第１のスピーカー１１５と、携帯電話機能を含んだ移動通信端末の全般的な機能と関連された情報を保存する第１の保存部１１６と、を含む。この時、第１のスピーカー１１５は受話器(ｒｅｃｅｉｖｅｒ)として動作する装置である。
【００２６】
マルチメディアモジュール１２０は、マルチメディアデータを処理するマルチメディアデータ(例えば、映像データ及び放送データなど)処理部１２２と、マルチメディアデータを解読してユーザーに提供するための情報として出力する副制御部１２１と、副制御部１２１から出力された映像情報を表示する第２のＬＣＤ１２３と、副制御部１２１から出力されたオーディオ(Ａｕｄｉｏ)信号を出力する第２のスピーカー１２４と、マルチメディア機能と関連された情報を保存する第２の保存部１２５と、を含む。
【００２７】
この時、マルチメディアデータ処理部１２２は、移動通信端末１００がカメラフォンである場合にはカメラから収集された映像データを処理し、移動通信端末１００がＤＭＢフォンである場合には放送データを処理する。
【００２８】
また、第２のスピーカー１２４は、マルチメディアデータに含まれた音響情報を出力するための装置として、ステレオ(ｓｔｅｒｅｏ)機能が具現され、第２のＬＣＤ１２３は、マルチメディアデータに含まれた映像情報を出力するための装置である。一方、第２のスピーカー１２４と第２のＬＣＤ１２３は、マルチメディアデータを出力するための出力インターフェース部を構成する。出力インターフェース部は、マルチメディアデータの形態によってスピーカーとＬＣＤの中でいずれの一つだけで構成することもできる。例えば、デジタルオーディオ放送(Ｄｉｇｉｔａｌ Ａｕｄｉｏ Ｂｒｏａｄｃａｓｔ)の場合にはスピーカーだけで出力インターフェース部を構成し、カメラにより収集された映像の場合にはＬＣＤだけで出力インターフェース部を構成する。
【００２９】
また、第１のスピーカー１１５と第２のスピーカー１２４、第１のＬＣＤ１１２と第２のＬＣＤ１２３は、各々ハードウェア的に分離構成することもでき、一つのスピーカーと一つのＬＣＤで構成することもできる。
【００３０】
本発明の実施形態ではフォンモジュール１１０とマルチメディアモジュール１２０は物理的に分離された場合を仮定して説明するが、フォンモジュール１１０とマルチメディアモジュール１２０の全部または一部を一つのチップで構成することも可能である。例えば、移動通信網を通じて受信されるデータを処理する部分とデジタル放送データを処理する部分を一つのチップで構成することができる。特に、ＣＤＭＡ(Ｃｏｄｅ  Ｄｉｖｉｓｉｏｎ  Ｍｕｌｔｉｐｌｅ  Ａｃｃｅｓｓ)方式の移動通信とＣＤＭ(Ｃｏｄｅ  Ｄｉｖｉｓｉｏｎ  Ｍｕｌｔｉｐｌｅｘ)方式を使用するＤＭＢの場合、一つの統合されたチップで具現することが可能である。しかし、このような場合にも一つのチップ内で移動通信網を通じたデータの受信と処理を実行する部分は本発明のフォンモジュールに該当し、ＤＭＢデータを受信して処理する部分は本発明のマルチメディアモジュールに該当する。
【００３１】
このように構成された本発明の移動通信端末機１００は、マルチメディア機能の実行中に通話要請が受信された場合、通話機能とマルチメディア機能が一緒に実行されるように動作する。このために、本発明の移動通信端末機１００は、通話機能を実行する通話モードと、マルチメディア機能を実行するマルチメディアモードと、通話機能及びマルチメディア機能を一緒に実行する同時サービスモードで動作することが好ましい。
【００３２】
通常、複合端末機において動作モードの転換は該当の端末機の動作を制御する制御権限(例えば、音声入/出力制御、マルチメディアデータの入/出力制御など)の移動により実行される。即ち、複合端末機に具現された多数の機能を各々制御する制御部に制御権限が移動することにより該当機能が実行される。したがって、本発明の場合、マルチメディアモード、通話モード及び同時サービスモード各々の場合に主制御部(ＭＳＭ)１１１と副制御部１２１との間に必要な制御権限の移動過程が実行される。この時、主制御部(ＭＳＭ)１１１及び副制御部１２１は別の装置に分けて具現することもでき、一つで統合して具現することも可能である。
【００３３】
図４は、本発明の一実施形態による通話及びマルチメディア機能を実行する装置において、マルチメディア機能の実行中に通話機能を実行するための制御権の移動過程を示すフローチャートである。即ち、図３に示された移動通信端末機１００がマルチメディアモード、通話モード及び同時サービスモードで動作する場合の制御権限の移動過程を例示した図である。図３と図４を参照して本発明の実施形態による移動通信端末機１００の制御権限移動過程を説明すれば、次のようになる。
【００３４】
通常的に、移動通信端末機の制御権限は普段に主制御部(ＭＳＭ)１１１が持っている。したがって、マルチメディア機能が要請された場合(ステップ１０１)、主制御部(ＭＳＭ)１１１はその制御権限をマルチメディア機能を制御する副制御部１２１に伝達する(ステップ１０３)。この場合、主制御部(ＭＳＭ)１１１は端末機の動作制御のための何の機能も実行せず、ただユーザーインターフェースを通じて入力される操作信号に応じたイベントを発生させてマルチメディア副制御部１２１に伝達する機能のみを実行する。
【００３５】
したがって、ステップ１０３の実行後に、主制御部(ＭＳＭ)１１１は操作信号の入力を感知し(ステップ１０５)、それに対応したイベントを発生させて(ステップ１０７)、副制御部１２１に伝達する(ステップ１０９)。例えば、キーパッド１１４を通じてユーザーの操作信号が入力されると、主制御部(ＭＳＭ)１１１はそれに対応したイベントを発生させて副制御部１２１に伝達する。
【００３６】
一方、副制御部１２１は、ステップ１０３で伝達された端末機制御権限を利用してマルチメディア機能を実行している中(ステップ１１１)、ステップ１０９を通じてイベントが伝達されると、それに対応する動作を実行する。
【００３７】
例えば、ステップ１０９を通じて呼接続のためのイベントが伝達されると(ステップ１１３)、副制御部１２１は音声制御(例えば、音声入/出力制御)のための制御権限を主制御部(ＭＳＭ)１１１に伝達した後(ステップ１１５)、通話中マルチメディア機能を実行する(ステップ１１７)。即ち、音声出力機能を除外したマルチメディア機能を実行する。例えば、副制御部１２１がデジタル放送サービスを制御している最中に呼接続要請が受信された場合には、第２のＬＣＤ１２３を通じてデジタル放送データに含まれたビデオデータは持続的に出力するが、第２のスピーカー１２４は遮断してオーディオデータの出力を中断する。この時、ヘッドホンのような別の出力インターフェース(図示せず)を通じたオーディオデータの転換出力も可能である。
【００３８】
また、ステップ１０９を通じてマルチメディア機能を終了するためのイベントが伝達されると(ステップ１２５)、副制御部１２１はマルチメディア機能を終了した後(ステップ１２７)、端末機制御権限を主制御部(ＭＳＭ)１１１に伝達する(ステップ１２９)。
【００３９】
もし、ステップ１０９を通じて伝達されたイベントが呼接続のためのイベントもマルチメディア機能を終了するためのイベントでもない場合には、副制御部１２１はマルチメディア機能を持続的に実行する(ステップ１１１)。
【００４０】
一方、ステップ１１５で音制御権限の伝達を受けた主制御部(ＭＳＭ)１１１は、音制御権限を利用して通話機能を実行する(ステップ１１９)。即ち、音制御権限を利用してマイク１１３及び第１のスピーカー１１５を制御することにより通話音の送/受信を含んだ通話機能を実行する。そして、通話が終了すれば(ステップ１２１)、音制御権限を副制御部１２１に還元する(ステップ１２３)。この場合、主制御部(ＭＳＭ)１１１はマイク１１３及び第１のスピーカー１１５の制御権限が消滅される。それでは通話中マルチメディア機能を実行中であった副制御部１２１は、その音制御権限を利用してさらにマルチメディア機能実行モードに復帰する(図示せず)。例えば、副制御部１２１が実行中である通話中マルチメディア機能がデジタル放送サービスである場合に、第２のＬＣＤ１２３を利用してビデオデータのみを出力した副制御部１２１が、ステップ１２３から伝達を受けた音制御権限を利用して第２のスピーカー１２４を制御することによりオーディオデータも一緒に出力する。この時、ヘッドホンのような別の出力インターフェースを通じてオーディオデータの転換出力を実行する中であったら、該当出力をさらに第２のスピーカー１２４に転換することもできる。即ち、オーディオデータとビデオデータを一緒に出力するマルチメディア機能実行モードに復帰する。
【００４１】
言い換えれば、移動通信端末機１００がマルチメディア機能を実行している最中に通話要請信号を受けてユーザーが通話モードを選択した場合(この時、ユーザーは‘通話'などの同時サービスモードへの転換のために予め設定されたキーを利用することが好ましい)、主制御部(ＭＳＭ)１１１は、ステップ１０７でこれを通知するためのイベントを発生する。即ち、主制御部(ＭＳＭ)１１１は移動通信端末機１００の動作モードを通話モードに転換することを通知するためのイベントを発生させる(ステップ１０７)。そして、そのイベントを副制御部１２１に伝達する(ステップ１０９)。一方、それに対する応答として副制御部１２１から音制御権限が伝達されると(ステップ１１５)、主制御部(ＭＳＭ)１１１はその音制御権限を利用して通話機能を実行し(ステップ１１９)、通話が終了すれば(ステップ１２１)、音制御権限を副制御部１２１に伝達する(ステップ１２３)。
【００４２】
図５は、本発明の一実施形態による通話及びマルチメディア機能を実行する装置において、マルチメディア機能の実行中に通話機能を実行する過程を示すフローチャートである。即ち、図３に示されたように移動通信端末機１００の動作モード転換過程を例示する図である。図３と図５に示したように、移動通信端末機１００がマルチメディアモードで動作する中(ステップ２０１)に、通話機能が要請されると(ステップ２０３)、移動通信端末機１００は同時サービスモードを実行する(ステップ２０５)。即ち、移動通信端末機１００の動作制御権限の中で音制御権限のみを主制御部(ＭＳＭ)１１１に伝達し、残りの制御権限は副制御部１２１が所有することにより、フォンモジュール１１０では音声通話が行われ、マルチメディアモジュール１２０ではオーディオ出力を除外したマルチメディア機能が実行される。即ち、主制御部(ＭＳＭ)１１１は副制御部１２１から伝達された音制御権限を利用してマイク１１３及び第１のスピーカー１１５を制御して通話音の入/出力を制御し、副制御部１２１は音制御権限の消失により第２のスピーカー１２４を遮断して第２のＬＣＤ１２３のみを利用したマルチメディア機能を実行する。
【００４３】
このように同時サービスモードの実行中にマルチメディア機能が終了すれば(ステップ２０７)、移動通信端末機１００は通話モードを実行する(ステップ２０９)。即ち、副制御部１２１は移動通信端末機１００の制御権限を主制御部(ＭＳＭ)１１１に伝達した後に待機状態になる。主制御部(ＭＳＭ)１１１は通話が終了されるまで(ステップ２１１)通話モードを維持する(ステップ２０９)。
【００４４】
一方、同時サービスモードの実行中に通話機能が終了すると(ステップ２１３)、移動通信端末機１００は同時サービスモードを終了してマルチメディアモードを実行する(ステップ２１５)。即ち、副制御部１２１が音制御権限を取り戻すことにより第２のＬＣＤ１２３と第２のスピーカー１２４を一緒に制御することができるようになる。そして、マルチメディア機能が終了すると(ステップ２１７)、副制御部１２１は移動通信端末機１００の制御権限を主制御部１１１に還元する。
【００４５】
図５の例において、各動作モードへの転換要請及び進行中である動作モードの終了を通知するために移動通信端末機１００に特定キーを設定することが好ましい。例えば、マルチメディアモードの動作中に通話機能が要請されたことを通知するためのキーとして‘通話キー’を設定し、同時サービスモードの動作中に通話機能またはマルチメディア機能が終了されたことを通知するためのキーとして‘終了キー’を設定することが好ましい。特に、同時サービスモードの動作中に‘終了キー’が選択された場合には、それが通話機能の終了のためであるかマルチメディア機能の終了のためであるかをユーザーが選択できるように案内メッセージを表示することが好ましい。
【００４６】
図６は、本発明の一実施形態による同時サービスモードで動作する際に電話番号入力または表示窓が表示された例を示す例示図である。
【００４７】
即ち、通話機能を実行する際に表示する必要がある内容(例えば、電話番号入力及び発信者電話番号表示など)はマルチメディアモジュール１２０で制御する第２のＬＣＤ１２３に表示される。例えば、移動通信端末機１００がデジタル放送受信のためのマルチメディアモードで動作している最中にユーザーによる発信要請を感知した場合、副制御部１２１はデジタル放送データを出力中である第２のＬＣＤ１２３の所定領域(Ａ)を利用して発信する電話番号の入力内容を表示する。この時、その領域(Ａ)はデジタル放送データを邪魔しない範囲内で設定することが好ましい。例えば、画面の下端部にオンスクリーンディスプレー(ＯＳＤ：Ｏｎ  Ｓｃｒｅｅｎ  Ｄｉｓｐｌａｙ)方式で発信する電話番号の入力内容を表示することが好ましい。
【００４８】
以上、本発明を具体的な実施形態を参照して詳細に説明したが、本発明の範囲は前述の実施形態によって限定されるべきではなく、特許請求の範囲の記載及びこれと均等なものの範囲内で様々な変形が可能なことは、当該技術分野における通常の知識を持つ者には明らかである。
【図面の簡単な説明】
【００４９】
【図１】従来の実施形態による通話及びマルチメディア機能を実行する装置において、マルチメディア機能を実行するための制御権の移動過程を示すフローチャートである。
【図２】従来の実施形態による通話及びマルチメディア機能を実行する装置において、マルチメディア機能の実行中に通話機能を実行する過程を示すフローチャートである。
【図３】本発明の一実施形態による通話及びマルチメディア機能を実行する装置において、マルチメディア機能の実行中に通話機能を実行する移動通信端末を示すブロック図である。
【図４】本発明の一実施形態による通話及びマルチメディア機能を実行する装置において、マルチメディア機能の実行中に通話機能を実行するための制御権の移動過程を示すフローチャートである。
【図５】本発明の一実施形態による通話及びマルチメディア機能を実行する装置において、マルチメディア機能の実行中に通話機能を実行する過程を示すフローチャートである。
【図６】本発明の一実施形態による同時サービスモードで動作する際に電話番号入力または表示窓が表示された例を示す例示図である。
【符号の説明】
【００５０】
１００  移動通信端末
１１０  携帯電話機能モジュール
１１１  主制御部
１１２  第１の表示部(ＬＣＤ)
１１３  マイク
１１４  キーパッド
１１５  第１のスピーカー
１１６  第１の保存部
１２０  マルチメディアモジュール
１２１  副制御部
１２２  マルチメディアデータ処理部
１２３  第２のＬＣＤ
１２４  第２のスピーカー
１２５  第２の保存部
【図１】
2006014333.tif 000003
【図２】
2006014333.tif 000004
【図３】
2006014333.tif 000005
【図４】
2006014333.tif 000006
【図５】
2006014333.tif 000007
【図６】
2006014333.tif 000008